(57)【要約】【課題】  複数の通信回線で接続された画像読取装置と印刷装置とが通信回線ごとの情報に依存せずにデータ通信できるようにした画像形成システムおよび方法および画像読取装置を提供する。【解決手段】  スキャナ１００からネットワーク回線以外の回線であるＵＳＢ回線１２０を介してプリンタ１１０にデバイスＩＤの要求を行い、要求を受けたプリンタがデバイスＩＤとともにネットワーク回線で使用するＩＰアドレスをスキャナに通知する。取得したＩＰアドレスを用いてネットワーク回線を介してプリンタにアクセスすることでプリンタ情報を取得し、そのプリンタ情報をＵＳＢ回線での通信に利用する。【選択図】図１
2006270193.tif 000002
【特許請求の範囲】
【請求項１】
画像読取装置と、該画像読取装置とネットワークを介して接続されるとともに、ローカル接続され、前記画像読取装置から送信された画像データの印刷処理を行う印刷装置とを有する画像形成システムにおいて、
前記画像読取装置は、
前記画像読取装置と前記印刷装置との間の前記ローカル接続に際して、前記印刷装置の前記ネットワーク上でのネットワーク識別子を前記ローカル接続を介して取得するネットワーク識別子取得手段と、
前記ネットワーク識別子取得手段により取得したネットワーク識別子に基づき前記印刷装置と前記ネットワークを介してデータ通信を行うデータ通信手段と
を具備することを特徴とする画像形成システム。
【請求項２】
前記ローカル接続は、
ＵＳＢ接続であり、
前記画像読取装置は、
前記ローカル接続に際して該ローカル接続の初期化により前記印刷装置から該印刷装置のデバイスＩＤの１要素としてＩＰアドレスを取得する
ことを特徴とする請求項１記載の画像形成システム。
【請求項３】
前記画像読取装置は、
該画像読取装置で読み取った画像データを前記ローカル接続を介して前記印刷装置に送信して印刷指示を行う
ことを特徴とする請求項１または２記載の画像形成システム。
【請求項４】
前記印刷装置は、
待機時の電力を抑えた省電力状態へ移行するスリープ機能を有し、
前記画像読取装置は、
前記印刷装置の省電力状態から通常状態へと復帰を前記ネットワークを介して指示する
ことを特徴とする請求項１乃至３のいずれかに記載の画像形成システム。
【請求項５】
画像読取装置と印刷装置とを有し、該印刷装置は、該画像読取装置とネットワークを介して接続されるとともに、ローカル接続され、前記画像読取装置から送信された画像データの印刷処理を行う画像形成方法において、
前記画像読取装置は、前記画像読取装置と前記印刷装置との間の前記ローカル接続に際して、前記印刷装置の前記ネットワーク上でのネットワーク識別子を前記ローカル接続を介してネットワーク識別子取得手段で取得し、
前記ネットワーク識別子取得手段により取得したネットワーク識別子に基づき前記印刷装置と前記ネットワークを介してデータ通信を行う
ことを特徴とする画像形成方法。
【請求項６】
印刷装置がネットワークを介して接続されるとともに、ローカル接続され、前記印刷装置に対して画像データを送信して印刷指示を行う画像読取装置において、
前記画像読取装置と前記印刷装置との間の前記ローカル接続に際して、前記印刷装置の前記ネットワーク上でのネットワーク識別子を前記ローカル接続を介して取得するネットワーク識別子取得手段と、
前記ネットワーク識別子取得手段により取得したネットワーク識別子に基づき前記印刷装置と前記ネットワークを介してデータ通信を行うデータ通信手段と
を具備することを特徴とする画像読取装置。
【発明の詳細な説明】
【技術分野】
【０００１】
本発明は、複数の通信回線で接続された電子機器同士がデータ通信を行う画像形成システムおよび方法および画像読取装置に関し、特に、通信回線ごとに得られる情報を他の通信回線を用いたデータ通信に用いることで電子機器の相互通信を行えるようにした画像形成システムおよび方法および画像読取装置に関する。
【背景技術】
【０００２】
近年、電子機器同士の通信手段として多くの接続方法が開発されており、複数のデバイスをネットワーク上のノードとして扱うことによってデータ通信を実現するネットワーク接続や、電子機器同士をダイレクトに接続するＰ２Ｐ接続（Peer to Peer）がその代表的な例である。特に、Ｐ２Ｐ接続においては、以前のＰ２Ｐ接続方式に比べて通信速度が格段に高速化し、また扱えるデータフォーマットが多種多様なものになり、一度に多くのデータを送受信することが可能となっている。
【０００３】
ネットワーク接続は複数の電子機器同士で相互通信が可能であるのに対して、Ｐ２Ｐ接続はローカル接続であるため、一般的にＬＡＮ接続よりも高い安定性を確保した高速なデータ通信を行うことが可能である。
【０００４】
Ｐ２Ｐ接続の例として、デジタルカメラとプリンタ、スキャナとプリンタなどの周辺機器同士をＵＳＢ（Universal Serial Bus：シリアルバス）により接続するものがある。ＵＳＢ接続の中でもＵＳＢ２．０ハイスピードによる接続は、最大伝送速度４８０Ｍｂｐｓ（Mega Bit Per Second：一秒あたりのデータ伝送量（単位：メガ））を実現することができるため大容量のデータを高速に伝送することが可能である。
【０００５】
また、ＵＳＢは、接続された電子機器からの電源供給が可能であるため、デバイスの省スペース化を実現して利用効率が向上するという利点がある。
【０００６】
このように使用用途に応じた接続方式を選択することができる。例えば、高精細な処理モードで撮影した画像データをプリンタに転送する場合には、データサイズが大きいためネットワーク接続によってデータ通信を行うよりもＵＳＢ２．０ハイスピード接続によるデータ通信を行ったほうが安全により高速に通信を行うことができる。それに対して、一度に複数のノードとデータ通信を行う場合にはローカル接続よりもネットワーク接続が優れている。
【０００７】
そして、電子機器同士をネットワーク接続とローカル接続による複数の通信手段で接続した接続方法では、通信手段ごとに別々の電子機器として認識される。すなわち、１つの電子機器が通信手段によって異なる電子機器として認識されてしまう。例えば、スキャナとプリンタをネットワーク接続とローカル接続であるＵＳＢ接続の２つの通信手段で接続した場合に、スキャナのシステム管理上では、ネットワーク接続プリンタとＵＳＢ接続プリンタとして管理されることになる。
【０００８】
このため、複数の通信手段を有する電子機器同士のデータ通信は、通信手段ごとにコネクション処理を行い、通信手段ごとの仕様に従ったデータ形式を用いることで行わなければならず、作業効率が低下するという問題がある。
【０００９】
また、通信手段ごとに異なるものとして認識された電子機器を同一のものとして認識させるには、管理者による登録が必要であり、変更が生じる度に再登録を行わなければならないという問題もある。
【００１０】
ネットワーク通信に必要なＩＰアドレスが付与されておらず、直接インターネットに接続できない非ＩＰ周辺装置をインターネットを利用して遠隔からアクセス可能にした従来技術として、特許文献１に開示されたものがある。
【００１１】
この特許文献１に開示された従来技術においては、ゲートウェイ装置に非ＩＰ周辺装置である家庭内の制御対象製品と該制御対象製品に付与されたＩＰ（Internet Protocol）アドレスとを対応させて記憶したＩＰアドレス管理テーブルを保持しておき、インターネットを介して受信したインターネットデータからＩＰアドレスを識別することで、ＩＰアドレス管理テーブルに基づいて識別されたＩＰアドレスに対応する制御対象製品に対してデータを送信できるようにしている。
【特許文献１】特開２０００−３４９８０３
【発明の開示】
【発明が解決しようとする課題】
【００１２】
しかしながら、特許文献１に示された従来技術においては、直接インターネットに接続することができない制御対象製品と該制御対象製品のＩＰアドレスとをＩＰアドレス管理テーブルに登録しておく必要があるため、ＩＰアドレス管理テーブルを記憶する記憶領域が必要となり、制御対象製品が増えるにつれて大きな記憶領域が必要になり、記憶領域を圧迫することで処理速度が低下してしまうという問題がある。
【００１３】
また、通信を実現するためにゲートウェイ装置が必要になり、一台の制御対象製品と接続を行いたい場合などには、利便性を享受できないばかりでなく、管理テーブルやネットワークの保守が必要になり生産性を阻害するという問題もある。
【００１４】
そして、通常、電子機器同士をネットワーク接続、ローカル接続などの複数の通信手段で接続した通信方式では、通信手段ごとにそれぞれ通信が可能であり、通信手段の特性に応じたデータ通信を実現することができる。
【００１５】
しかしながら、この通信方式では、上記するように接続された電子機器が通信手段ごとに別の電子機器として認識されることになるため、通信手段の枠を越えたシームレスな通信を実現するには、管理者によって通信手段毎に異なる電子機器を同一であると認識させる登録作業が必要になり、作業効率の低下を招くという問題がある。
【００１６】
そこで、本発明は、複数の通信回線で接続された画像読取装置と印刷装置とが通信回線ごとの情報に依存せずにデータ通信できるようにした画像形成システムおよび方法および画像読取装置を提供することを目的とする。
【課題を解決するための手段】
【００１７】
上記目的を達成するため、請求項１の発明は、画像読取装置と、該画像読取装置とネットワークを介して接続されるとともに、ローカル接続され、前記画像読取装置から送信された画像データの印刷処理を行う印刷装置とを有する画像形成システムにおいて、前記画像読取装置は、前記画像読取装置と前記印刷装置との間の前記ローカル接続に際して、前記印刷装置の前記ネットワーク上でのネットワーク識別子を前記ローカル接続を介して取得するネットワーク識別子取得手段と、前記ネットワーク識別子取得手段により取得したネットワーク識別子に基づき前記印刷装置と前記ネットワークを介してデータ通信を行うデータ通信手段とを具備することを特徴とする。
【００１８】
また、請求項２の発明は、請求項１の発明において、前記ローカル接続は、ＵＳＢ接続であり、前記画像読取装置は、前記ローカル接続に際して該ローカル接続の初期化により前記印刷装置から該印刷装置のデバイスＩＤの１要素としてＩＰアドレスを取得することを特徴とする。
【００１９】
また、請求項３の発明は、請求項１または２の発明において、前記画像読取装置は、該画像読取装置で読み取った画像データを前記ローカル接続を介して前記印刷装置に送信して印刷指示を行うことを特徴とする。
【００２０】
また、請求項４の発明は、請求項１乃至３のいずれかの発明において、前記印刷装置は、待機時の電力を抑えた省電力状態へ移行するスリープ機能を有し、前記画像読取装置は、前記印刷装置の省電力状態から通常状態へと復帰を前記ネットワークを介して指示することを特徴とする。
【００２１】
また、請求項５の発明は、画像読取装置と印刷装置とを有し、該印刷装置は、該画像読取装置とネットワークを介して接続されるとともに、ローカル接続され、前記画像読取装置から送信された画像データの印刷処理を行う画像形成方法において、前記画像読取装置は、前記画像読取装置と前記印刷装置との間の前記ローカル接続に際して、前記印刷装置の前記ネットワーク上でのネットワーク識別子を前記ローカル接続を介してネットワーク識別子取得手段で取得し、前記ネットワーク識別子取得手段により取得したネットワーク識別子に基づき前記印刷装置と前記ネットワークを介してデータ通信を行うことを特徴とする。
【００２２】
また、請求項６の発明は、印刷装置がネットワークを介して接続されるとともに、ローカル接続され、前記印刷装置に対して画像データを送信して印刷指示を行う画像読取装置において、前記画像読取装置と前記印刷装置との間の前記ローカル接続に際して、前記印刷装置の前記ネットワーク上でのネットワーク識別子を前記ローカル接続を介して取得するネットワーク識別子取得手段と、前記ネットワーク識別子取得手段により取得したネットワーク識別子に基づき前記印刷装置と前記ネットワークを介してデータ通信を行うデータ通信手段とを具備することを特徴とする。
【発明の効果】
【００２３】
本発明によれば、画像読取装置と印刷装置がネットワーク接続とローカル接続の複数の接続形態で接続され、接続形態ごとに取得できる情報を他の接続形態でのデータ通信に利用するように構成したので、接続形態ごとに別々に認識された画像読取装置と印刷装置とがそれぞれ同一の装置として認識することができるようになるという効果を奏する。
【００２４】
また、ネットワーク接続によって取得した情報をネットワーク接続以外の接続形態でのデータ通信に利用することにより、各接続形態の利点を生かしたデータ通信を実現できるようになり、通信効率が向上するとともに利便性が向上し、障害の切り分けにも利用できることから保守性にも優れるという効果をも奏する。
【発明を実施するための最良の形態】
【００２５】
以下、本発明に係わる画像形成システムおよび方法および画像読取装置の一実施例を添付図面を参照して詳細に説明する。
【００２６】
なお、本願発明の画像形成システムでは、画像の読み取りを行うスキャナと印刷出力を行うプリンタを例にして説明するが、これらに限定されることなく、デジタルカメラやＰＤＡ（Personal Digital Assistance：携帯情報端末）とプリンタといった周辺機器同士の通信やサーバと周辺機器との通信に利用可能である。
【実施例】
【００２７】
図１は、この発明に係わる画像形成システムおよび方法および画像読取装置を適用して構成した画像形成システムのシステム構成図である。
【００２８】
図１において、この画像形成システムは、印刷文書の読み取りを行うスキャナ１００、スキャナ１００から受信したデータに基づいて印刷出力を行うプリンタ１１０を具備して構成され、このスキャナ１００とプリンタ１１０は、ＵＳＢケーブル１２０を用いたローカル接続とイーサネット（登録商標）ケーブル１３０を用いたネットワーク接続の２つのインターフェースで接続されている。
【００２９】
イーサネット（登録商標）ケーブル１３０を用いたネットワーク接続を実現するルートＡでは、スキャナ１００とプリンタ１１０をそれぞれネットワーク上のノードとして扱い、ＴＣＰ／ＩＰ通信（Transmission Control Protocol/Internet Protocol：通信プロトコル）によりデータ通信を実現する。すなわち、ネットワーク識別子であるＩＰアドレスを宛先情報としたＩＰパケットによってデータの伝送を行う。
【００３０】
また、ＵＳＢケーブル１２０を用いたローカル接続を実現するルートＢでは、通信相手となるターゲットと専用路で接続されたローカル接続でデータ通信を行う。
【００３１】
イーサネット（登録商標）ケーブル１３０を用いたネットワーク接続によるＴＣＰ／ＩＰ通信では、ＳＮＭＰ（Simple Network Management Protocol：ネットワーク管理プロトコル）によるＭＩＢ（Management Information Base：管理情報ベース）を用いてプリンタ１１０の情報を管理する。ＭＩＢとして管理されるプリンタ１１０の情報には、トレイ情報、トナー情報、印刷速度情報、メディア情報（用紙サイズ情報、用紙枚数情報）、色情報、フィニッシャー情報、デュプレックス情報、インターフェース情報などがある。
【００３２】
一方、ＵＳＢケーブルを用いたローカル接続では、ＵＳＢドライバに規定されたプリンタクラスというクラスドライバに含まれる情報を用いる。
【００３３】
プリンタ１１０の電源がＯＮの状態でスキャナ１００の電源投入が行われると、ＵＳＢケーブル１２０を用いて接続されたデバイス（図１に示す例では、プリンタ１１０）に対してデバイスが持つデバイス情報の取得要求を行い、要求を受けたデバイスからの応答によりデバイス情報を取得する。これにより図１に示す例では、接続されたデバイスの種別を「プリンタ」と識別する。
【００３４】
続いて、種別がプリンタであると判別したデバイスに対して、デバイスが持つデバイスＩＤの取得要求を行い、接続されたデバイスであるプリンタからデイバスＩＤとともにプリンタをネットワーク上で識別可能な識別情報を取得する。例えば、識別情報としてネットワーク識別子のＩＰアドレスやＭＡＣアドレス、プリンタ名称がある。
【００３５】
また、スキャナ１００の電源がＯＮの状態でプリンタ１１０の電源投入が行われると、スキャナ１００は、プリンタ１１０からＵＳＢケーブル１２０を介してバスリセット要求を受け付けることでバスリセットを実行する。このときのバスリセットは、ＵＳＢ情報の初期化を示し、コントローラの初期化や起動、タスクの生成などのほか、接続された周辺機器を管理するために割り振られた番号の振り直しを行う。
【００３６】
プリンタ１１０もスキャナ１００からのバスリセット応答を受信して、同様に自身の初期化処理を行う。
【００３７】
この状態で、スキャナ１００よりデバイス情報の取得要求を受け付けると、プリンタ１１０が持つデバイスの情報を返信し、さらにデバイスＩＤの取得要求を受け付けると、予め指定されたデバイスＩＤとともに取得したネットワーク識別子であるＩＰアドレスを含む識別子情報を作成して返信する。
【００３８】
これによって、スキャナ１００はＵＳＢケーブルを用いたＵＳＢ通信でプリンタのネットワーク識別子であるＩＰアドレスを取得することができる。
【００３９】
図２は、スキャナの詳細な構成を示すブロック図である。
【００４０】
図２において、データ入力制御部１０、ネットワークデータ制御部１１、ＵＳＢデータ制御部１２、パラレルデータ制御部１３、制御部１４、読み取り制御部１５、読み取り部１６、記憶部１７、操作パネル１８、表示部１９、入力部２０を具備して構成される。
【００４１】
データ入力制御部１０は、ネットワークデータ制御部１１、ＵＳＢデータ制御部１２、パラレルデータ制御部１３を具備して構成され、複数の通信インターフェースでの相互通信が可能である。
【００４２】
ネットワークデータ制御部１１は、イーサネット（登録商標）ケーブルを用いたネットワーク接続を行う。
【００４３】
ＵＳＢデータ制御部１２は、ＵＳＢケーブルを用いたＵＳＢ接続を行う。
【００４４】
パラレルデータ制御部１３は、セントロニクスやＳＣＳＩやＩＤＥなどのパラレル接続でデータ通信を行う。
【００４５】
これらの通信インターフェースは、スキャナ１００に接続されたプリンタによって切り替えられ、制御部１４により制御されたデータを指定されたプリンタに転送する。
【００４６】
制御部１４は、スキャナ１００の主制御を示し、プリンタ１１０の要求に応じて処理を行う。プリンタ１１０よりＵＳＢデータ制御部１２でバスリセット要求を受け付けると、記憶部１７に記憶されたＵＳＢ情報の初期化処理を行う。バスリセットを実行すると接続されたプリンタ１１０を検知し、検知したプリンタ１１０に対して送信するデバイス情報の取得要求を作成し、ＵＳＢデータ制御部１２を介して送信する。
【００４７】
また、プリンタ１１０からのデバイス情報を受け取ると、デバイスの種別を識別し、識別されたデバイスであるプリンタに対して、デバイスＩＤを要求する。この応答としてプリンタにより送信された識別子情報を解析し、デバイスＩＤとともにネットワーク接続によりプリンタを識別するネットワーク識別子のＩＰアドレスを取得する。
【００４８】
読み取り制御部１５は、スキャナ１００で実行する印刷文書の読み取りを制御する。操作パネル１８の入力部２０で利用者により読み取り指示が行われると、制御部１１が指示に基づいて読み取り制御部１５に対して読み取り開始指示を行うことにより読み取りが開始する。
【００４９】
読み取り部１６は、ＣＣＤ（Charge Coupled Devices）などによって構成され、読み取り制御部１５により読み取りの実行が行われると印刷文書の読み取りを行う。
【００５０】
記憶部１７は、ＲＯＭ（Read Only Memory）やＲＡＭ（Random Access Memory）によって構成され、読み取りを行うプログラムや接続されたプリンタとの複数のインターフェースを用いた通信を実現するためのプログラムなどが記憶される。
【００５１】
操作パネル１８は、表示部１９、入力部２０を具備して構成され、スキャナに対して利用者が指示を行うユーザインターフェースである。
【００５２】
表示部１９は、設定内容などを利用者に表示する。
【００５３】
入力部２０は、ボタンや十字キーなどによって構成され、スキャナに対して指示を行う。例えば、印刷文書の読み取り指示や電源ＯＮや電源ＯＦＦを行う。
【００５４】
このような構成により、次のような処理が可能である。
【００５５】
（１）  スキャナとプリンタがネットワーク回線とＵＳＢ回線の２つの接続形態で接続された状態でいずれの回線を用いても双方向のデータ通信が可能であり、一定時間の利用がない場合に低電力の省電力モードで待機するスリープ機能をプリンタが有している場合を考える。
【００５６】
プリンタが省電力モードに移行すると、通常、複数の接続形態で接続された環境では、スキャナから見てプリンタが接続形態の通信インターフェースごとに異なるプリンタと認識されてしまうため、省電力モードからの復帰処理は、接続された通信インターフェースごとに行う必要があり、そのためには通信インターフェースごとに復帰処理機能が必要となる。すなわち、復帰処理機能を有していない通信インターフェースからはプリンタの復帰を行うことができない。
【００５７】
この場合の省電力モードから通常モードへの復帰は、省電力モードにあるプリンタを操作パネルから操作するか、またはネットワーク経由で印刷を実行することにより行う。
【００５８】
図２のような構成を適用することで、ＵＳＢ回線を介してデバイスＩＤとともにネットワーク回線で使用するＩＰアドレスを取得できるため、ＵＳＢ接続におけるプリンタとネットワーク接続におけるプリンタが同一のプリンタと認識することができるようになる。
【００５９】
これは、ＵＳＢ回線を介して取得したＩＰアドレスをネットワーク回線で使用することにより、ＵＳＢ回線で接続されたプリンタとネットワーク回線で接続されたプリンタとを結びつけることができるようになるためである。
【００６０】
従って、復帰処理機能を有するネットワーク接続によって省電力モードからの復帰を行うことができ、ＵＳＢ接続されたプリンタでも省電力モードからの復帰を認識することができる。
【００６１】
これによって、ネットワーク回線を介してプリンタの省電力モードからの復帰処理によって、ＵＳＢ接続によるデータ通信を行うことができるようになる。
【００６２】
以上に示すような構成では、ＵＳＢ回線を介してネットワーク接続で使用するネットワーク識別子のＩＰアドレスを取得しているが、これに限定されず、ネットワーク上でプリンタを識別できる情報、例えば、ＭＡＣアドレスやプリンタ名称などを取得するような構成にしてもよい。
【００６３】
（２）  スキャナとプリンタがネットワーク回線とＵＳＢ回線の２つの接続形態で接続された環境で相互データ通信を行う際に、ＵＳＢケーブルが断線状態にある場合を考える。
【００６４】
通常、この場合ではデータ通信を行うスキャナは、ＵＳＢ回線を介してデータ通信を行うことができないと判断されるが、その理由がＵＳＢケーブルで障害が発生しているためなのか、プリンタの電源が切られているのかを判断することができない。
【００６５】
図２のような構成を適用することで、ＵＳＢ接続におけるプリンタとネットワーク接続におけるプリンタが同一のプリンタと認識される。そのため、ネットワーク回線経由でプリンタの状態を示す情報を取得できれば、プリンタは通常の起動状態にあって正常動作していると判別することができるためＵＳＢケーブルまたはＵＳＢの通信インターフェースに障害が発生していると判明できる。
【００６６】
従って、本願発明を適用することで、スキャナとプリンタ相互間で通信制御が可能であるばかりでなく、障害の切り分けを行うことも可能である。
【００６７】
図３は、スキャナとプリンタ間のＵＳＢ通信を示すシーケンス図である。
【００６８】
図３において、予めスキャナの電源が投入されてから十分に時間が経過し、プリンタの電源が切られている状態から電源の投入が行われ（３０１）、通電状態になると、プリンタからスキャナに対してバスリセット要求が送出される（３０２）。受信したスキャナでは、バスリセット処理を実行し（３０３）、バスリセット要求を受信してバスリセット処理を実行したことを示すバスリセット応答を返信する（３０４）。これによりプリンタもバスリセット処理を実行する（３０５）。
【００６９】
続いて、スキャナが検知したプリンタに対して、ＵＳＢデバイス情報要求を送信し（３０６）、プリンタは予め保持したデバイス情報を返信する（３０７）。
【００７０】
これによって、スキャナは通信相手のデバイス種別がプリンタであると識別する（３０８）。プリンタと識別されたデバイスに対して、続けて、デバイスＩＤを要求する（３０９）。要求を受けたプリンタは、デバイスＩＤとともにＩＰアドレスを含んだ識別子情報を作成し（３１０）、要求したスキャナに返信する（３１１）。これによって、スキャナはプリンタのデバイスＩＤとともにＩＰアドレスを取得する（３１２）。
【００７１】
以上のような処理により、ＵＳＢ回線によりネットワーク回線で使用するＩＰアドレスを取得することができるようになり、ネットワーク回線を介してプリンタと通信を行うことができる。従って、ＵＳＢ，ネットワークのいずれの回線においても同一のプリンタであると識別することができる。
【００７２】
以上の処理によって、本発明の通信制御システムでは、ネットワーク回線以外の通信回線からネットワーク回線によるネットワーク通信に使用するネットワークアドレス（ＩＰアドレス）を取得することができる。
【００７３】
これによって、異なる通信インターフェースによる通信であっても同一のデバイスとして認識することが可能となる。
【００７４】
従って、本発明を適用することにより、装置の利便性の向上とともに保守性が向上するという効果を期待できる。
【００７５】
また、本発明ではローカルインタフェースであるＵＳＢ接続において、ＵＳＢ規格で規定されているデバイスＩＤ情報の受け渡しの中で、ネットワークのＩＰアドレスを授受することによって上記効果を得ているが、これはその他のＩＥＥＥ１３９４やセントロニクス等のインタフェース上でもＩＰアドレスを受け渡すことによって同様の効果を得ることができる。
【００７６】
本発明は、上記し、且つ図面に示す実施例に限定することなく、その要旨を変更しない範囲内で適宜変形して実施できるものである。
【産業上の利用可能性】
【００７７】
本発明は、複数の通信回線で接続された電子機器同士でのデータ通信を行う画像形成システムおよび方法および画像読取装置に適用可能であり、特に、ネットワーク回線を含む複数の通信回線で接続された電子機器同士がネットワーク回線を介して取得した情報に基にネットワーク回線以外の通信回線を介して相手の電子機器を制御するのに有用である。
【図面の簡単な説明】
【００７８】
【図１】この発明に係わる画像形成システムおよび方法および画像読取装置を適用して構成した画像形成システムのシステム構成図。
【図２】スキャナの詳細な構成を示すブロック図。
【図３】スキャナとプリンタ間のＵＳＢ通信を示すシーケンス図。
【符号の説明】
【００７９】
１０        データ入力制御部
１１        ネットワークデータ制御部
１２        ＵＳＢデータ制御部
１３        パラレルデータ制御部
１４        制御部
１５        読み取り制御部
１６        読み取り部
１７        記憶部
１８        操作パネル
１９        表示部
２０        入力部
１００      スキャナ
１１０      プリンタ
１２０      ＵＳＢケーブル
１３０      イーサネット（登録商標）ケーブル
【図１】
2006270193.tif 000003
【図２】
2006270193.tif 000004
【図３】
2006270193.tif 000005